(57)【要約】  【課題】  調剤報酬明細書を作成する際の薬品名の入力処理の簡便化を図ること。  【解決手段】  処方箋入力プログラムを読み出し起動する（Ｓ１１）。ユーザは、入力する薬品名の略号を入力する（Ｓ１２）。入力装置から該当欄への略号の入力がなされると、ＣＰＵは入力された略号を認識する。次に、サーバにアクセスし、略号と一致する薬品名の検索を実行する（Ｓ１３）。検索された薬品名のデータを読み出し、候補薬品名として一覧表示する（Ｓ１４）。候補薬品名の一覧表示から、１つの薬品名が選択されると、その選択を受け付け（Ｓ１５）、選択された薬品名に定義されている、関連データを薬剤データベースから読み出す（Ｓ１６）。そして、読み出したデータを該当する場所に配置し表示する（Ｓ１７）。表示されているデータを、調剤報酬明細書内の処方内容の欄に入力し（Ｓ１８）、処理を終了する。  【選択図】  図３
2005107649.tif 000002
【特許請求の範囲】
【請求項１】
投与した薬品に関する費用の請求を行うための調剤報酬明細書を作成する調剤報酬明細書作成装置であって、
薬品名をカタカナ表記した場合における先頭３文字をローマ字表記した場合に、前記先頭３文字の各文字の先頭に位置するアルファベットを順に並べることによって構成された略号と、前記薬品名とを対応付けて格納したデータベースと、
前記略号の入力を受け付ける入力受付手段と、
前記入力受付手段により受け付けられた前記略号と一致する略号が対応付けられた薬品名を、前記データベースから検索する検索手段と、
前記検索手段により検索された薬品名を選択候補群として表示する表示手段と、
前記表示手段により表示された前記選択候補群からの薬品名の選択を受け付ける選択受付手段と、
前記選択受付手段により受け付けられた薬品名を所定の項目に入力する入力手段と、
前記入力手段によって入力された内容に基づいて前記調剤報酬明細書の印刷を行う印刷手段と、
を備えたことを特徴とする調剤報酬明細書作成装置。
【請求項２】
前記データベースは、薬品の用法に関する用法データおよび薬品の用量に関する用量データを、前記薬品名と対応付けて格納し、
前記入力手段は、前記選択受付手段により受け付けられた薬品名に対応付けられている前記用法データおよび前記用量データを、該当する各項目に入力することを特徴とする請求項１記載の調剤報酬明細書作成装置。
【請求項３】
前記印刷手段は、１行分の印刷領域中に、前記入力手段によって入力された前記薬品名を複数記載することを特徴とする請求項１または請求項２記載の調剤報酬明細書作成装置。
【請求項４】
薬品名をカタカナ表記した場合における先頭３文字をローマ字表記した場合に、前記先頭３文字の各文字の先頭に位置するアルファベットを順に並べることによって構成された略号と、前記薬品名とを対応付けて格納したデータベースを有する調剤報酬明細書作成装置において、投与した薬品に関する費用の請求を行うための調剤報酬明細書を作成する際に使用される調剤報酬明細書作成方法であって、
前記略号の入力を受け付ける第１ステップと、
前記第１ステップにより受け付けられた前記略号と一致する略号が対応付けられた薬品名を、前記データベースから検索する第２ステップと、
前記第２ステップにより検索された薬品名を選択候補群として表示する第３ステップと、
前記第３ステップにより表示された前記選択候補群からの薬品名の選択を受け付ける第４ステップと、
前記第４ステップにより受け付けられた薬品名を所定の項目に入力する第５ステップと、
前記第５ステップによって入力された内容に基づいて前記調剤報酬明細書の印刷を行う第６ステップと、
を有することを特徴とする調剤報酬明細書作成方法。
【請求項５】
薬品名をカタカナ表記した場合における先頭３文字をローマ字表記した場合に、前記先頭３文字の各文字の先頭に位置するアルファベットを順に並べることによって構成された略号と、前記薬品名とを対応付けて格納したデータベースを有する調剤報酬明細書作成装置において、投与した薬品に関する費用の請求を行うための調剤報酬明細書を作成する際に使用する調剤報酬明細書作成プログラムであって、
前記略号の入力を受け付ける入力受付機能と、
前記入力受付機能により受け付けられた前記略号と一致する略号が対応付けられた薬品名を、前記データベースから検索する検索機能と、
前記検索機能により検索された薬品名を選択候補群として表示する表示機能と、
前記表示機能により表示された前記選択候補群からの薬品名の選択を受け付ける選択受付機能と、
前記選択受付機能により受け付けられた薬品名を所定の項目に入力する入力機能と、
前記入力機能によって入力された内容に基づいて前記調剤報酬明細書の印刷を行う印刷機能と、
をコンピュータに実現させることを特徴とする調剤報酬明細書作成方法プログラム。
【請求項６】
薬品名をカタカナ表記した場合における先頭３文字をローマ字表記した場合に、前記先頭３文字の各文字の先頭に位置するアルファベットを順に並べることによって構成された略号と、前記薬品名とを対応付けて格納したデータベースを有する調剤報酬明細書作成装置において、投与した薬品に関する費用の請求を行うための調剤報酬明細書を作成する際に使用する調剤報酬明細書作成プログラムを記憶した記憶媒体であって、
前記略号の入力を受け付ける入力受付機能と、
前記入力受付機能により受け付けられた前記略号と一致する略号が対応付けられた薬品名を、前記データベースから検索する検索機能と、
前記検索機能により検索された薬品名を選択候補群として表示する表示機能と、
前記表示機能により表示された前記選択候補群からの薬品名の選択を受け付ける選択受付機能と、
前記選択受付機能により受け付けられた薬品名を所定の項目に入力する入力機能と、
前記入力機能によって入力された内容に基づいて前記調剤報酬明細書の印刷を行う印刷機能と、をコンピュータに実現させることを特徴とする調剤報酬明細書作成プログラムを記憶した記憶媒体。
【発明の詳細な説明】
【技術分野】
【０００１】
本発明は、例えば、投与した薬品に関する費用の請求を行うために、保険機関（支払基金）へ提出する調剤報酬明細書を作成する調剤報酬明細書作成装置、調剤報酬明細書作成方法、調剤報酬明細書作成プログラム、および調剤報酬明細書作成プログラムを記憶した記憶媒体に関する。
【背景技術】
【０００２】
通常、患者に投与した薬に関する所定の費用と調剤技術料とを請求するために、薬局は、社会保険診療報酬支払基金へ調剤報酬明細書を提出する。調剤報酬明細書には、薬局の情報、患者の情報、処方された薬品とその投与量、調剤報酬の点数など必要事項を細かく記載しなければならず、これらの処理に大変手間が掛かっていた。
そこで従来、調剤報酬明細書の作成作業を簡便にするための装置が下記の特許文献に開示されている。
【特許文献１】特開２００１−３１８９８７公報
【０００３】
特許文献１には、医師の記載した処方箋に記載された薬品名、投与量、日数等を画像情報として読み込み、これらの画像情報を文字認識させた後、調剤報酬明細書の該当する場所に配置させることが可能な処方データ入力装置について開示されている。
【０００４】
図７は、従来の調剤報酬明細書の一例を示した図である。
また、従来の調剤報酬明細書の処方薬の詳細を記載する項目には、１行に１種類の薬品とその投与量を記載するようになっている。そのため、５種類の薬品を投与した場合には、それぞれの薬品について記載するために５行分の記載（印刷）領域が必要となる。
特に、漢方薬などを調合して投与した場合などには、調合した生薬について全て記載しなければならないため、数十行分の記載領域が必要となる場合もある。そして、１枚の調剤報酬明細書に記載仕切れないような場合には、図７に示すように、所定の項目欄に複数枚の紙を貼り合わせて全ての生薬について記載するようにしている。
【発明の開示】
【発明が解決しようとする課題】
【０００５】
ところで、薬品名には、特殊な名称のものが多数存在するだけでなく、同名の薬品であっても、形状が違うため（例えば、顆粒タイプと粉末タイプ等）、名称の末尾のみが異なるような紛らわしいものもある。また、薬品名には、外来語（外国語表記された名）や文字数の長いもの、その他聞き慣れない特殊な語句や用語が用いられているものなど親しみにくい表記のものが多数存在している。従って、薬品名はとても入力し辛く、入力処理に時間がかかってしまっていた。
また、調剤報酬明細書を作成する際に、２万種を超える薬品名を手入力することは大変煩わしい処理となるだけでなく誤入力をしてしまうおそれがあった。
さらに、漢方薬の処方情報を全て記載するために複数枚の紙を貼り合わせる処理も、大変煩わしい処理となってしまっていた。
そこで本発明は、調剤報酬明細書を作成する際における、薬品名の入力処理をはじめとするユーザの実行する処理の簡便化を図ることができる調剤報酬明細書作成装置、調剤報酬明細書作成方法、調剤報酬明細書作成プログラム、および調剤報酬明細書作成プログラムを記憶した記憶媒体を提供することを目的とする。
【課題を解決するための手段】
【０００６】
請求項１記載の発明では、投与した薬品に関する費用の請求を行うための調剤報酬明細書を作成する調剤報酬明細書作成装置において、薬品名の頭文字とこの頭文字に続く複数文字とをローマ字表記した場合に、各文字の先頭に位置するアルファベットを順に並べることによって構成された略号と、前記薬品名とを対応付けて格納したデータベースと、前記略号の入力を受け付ける入力受付手段と、前記入力受付手段により受け付けられた前記略号と一致する略号が対応付けられた薬品名を、前記データベースから検索する検索手段と、前記検索手段により検索された薬品名を選択候補群として表示する表示手段と、
前記表示手段により表示された前記選択候補群からの薬品名の選択を受け付ける選択受付手段と、前記選択受付手段により受け付けられた薬品名を所定の項目に入力する入力手段と、前記入力手段によって入力された内容に基づいて前記調剤報酬明細書の印刷を行う印刷手段と、を備えることにより前記目的を達成する。
【０００７】
請求項２記載の発明では、請求項１記載の発明において、前記データベースに、さらに薬品の用法に関する用法データおよび薬品の用量に関する用量データを、前記薬品名と対応付けて格納し、前記入力手段は、前記選択受付手段により受け付けられた薬品名に対応付けられている前記用法データおよび前記用量データを、該当する各項目に入力させることにより前記目的を達成する。
【０００８】
請求項３記載の発明では、請求項１または請求項２記載の発明において、前記印刷手段は、１行分の印刷領域中に、前記入力手段によって入力された前記薬品名を複数記載させることにより前記目的を達成する。
【０００９】
請求項４記載の発明では、薬品名の頭文字とこの頭文字に続く複数文字とをローマ字表記した場合に、各文字の先頭に位置するアルファベットを順に並べることによって構成された略号と、前記薬品名とを対応付けて格納したデータベースを有する調剤報酬明細書作成装置において、投与した薬品に関する費用の請求を行うための調剤報酬明細書を作成する際に使用される調剤報酬明細書作成方法であって、前記略号の入力を受け付ける第１ステップと、前記第１ステップにより受け付けられた前記略号と一致する略号が対応付けられた薬品名を、前記データベースから検索する第２ステップと、前記第２ステップにより検索された薬品名を選択候補群として表示する第３ステップと、前記第３ステップにより表示された前記選択候補群からの薬品名の選択を受け付ける第４ステップと、前記第４ステップにより受け付けられた薬品名を所定の項目に入力する第５ステップと、前記第５ステップによって入力された内容に基づいて前記調剤報酬明細書の印刷を行う第６ステップと、を備えることにより前記目的を達成する。
【００１０】
請求項５記載の発明では、薬品名の頭文字とこの頭文字に続く複数文字とをローマ字表記した場合に、各文字の先頭に位置するアルファベットを順に並べることによって構成された略号と、前記薬品名とを対応付けて格納したデータベースを有する調剤報酬明細書作成装置において、投与した薬品に関する費用の請求を行うための調剤報酬明細書を作成する際に使用する調剤報酬明細書作成プログラムであって、前記略号の入力を受け付ける入力受付機能と、前記入力受付機能により受け付けられた前記略号と一致する略号が対応付けられた薬品名を、前記データベースから検索する検索機能と、前記検索機能により検索された薬品名を選択候補群として表示する表示機能と、前記表示機能により表示された前記選択候補群からの薬品名の選択を受け付ける選択受付機能と、前記選択受付機能により受け付けられた薬品名を所定の項目に入力する入力機能と、前記入力機能によって入力された内容に基づいて前記調剤報酬明細書の印刷を行う印刷機能と、をコンピュータに実現させることにより前記目的を達成する。
【００１１】
請求項６記載の発明では、薬品名をカタカナ表記した場合における先頭３文字をローマ字表記した場合に、前記先頭３文字の各文字の先頭に位置するアルファベットを順に並べることによって構成された略号と、前記薬品名とを対応付けて格納したデータベースを有する調剤報酬明細書作成装置において、投与した薬品に関する費用の請求を行うための調剤報酬明細書を作成する際に使用する調剤報酬明細書作成プログラムを記憶した記憶媒体であって、前記略号の入力を受け付ける入力受付機能と、前記入力受付機能により受け付けられた前記略号と一致する略号が対応付けられた薬品名を、前記データベースから検索する検索機能と、前記検索機能により検索された薬品名を選択候補群として表示する表示機能と、前記表示機能により表示された前記選択候補群からの薬品名の選択を受け付ける選択受付機能と、前記選択受付機能により受け付けられた薬品名を所定の項目に入力する入力機能と、前記入力機能によって入力された内容に基づいて前記調剤報酬明細書の印刷を行う印刷機能と、をコンピュータに実現させることを特徴とする調剤報酬明細書作成プログラムを記憶媒体に記憶することにより前記目的を達成する。
【発明の効果】
【００１２】
本発明によれば、略号の入力を受け付けることにより、容易に入力する薬品名の絞り込みを実行することができ、これにより薬品名の入力処理の簡便化を図ることができる。
【発明を実施するための最良の形態】
【００１３】
以下、本発明の調剤報酬明細書作成装置における好適な実施の形態について、図１から図６を参照して詳細に説明する。
図１は、本実施の形態に係る調剤報酬明細書作成装置１の概略構成を示した図である。
調剤報酬明細書作成装置１は、ＣＰＵ１１、ＲＯＭ１２、ＲＡＭ１３、入力装置１４、ディスプレイ１５、プリンタ１６およびサーバ２０から構成されている。これらの装置はバスラインを介して接続されている。
ＣＰＵ１１は、ＲＯＭ１２やＲＡＭ１３等の記憶装置に格納されているプログラムに従って、調剤報酬明細書作成装置１の制御を行う。ＣＰＵ１１は、レジスタと呼ばれる記憶部を有しており、このレジスタにＲＯＭ１２やＲＡＭ１３などからプログラムを読み込んで、このプログラムに従って動作することにより調剤報酬明細書作成装置１の各種機能が発揮される。
【００１４】
ＲＯＭ１２は、ＣＰＵ１１が各種演算や制御を行うための各種プログラム、データおよびパラメータなどを格納したリードオンリーメモリである。ＣＰＵ１１は、ＲＯＭ１２からプログラムやデータ、パラメータなどを読み込むことはできるが、これらを書き換えたり消去したりすることは一般に行わない。
ＲＡＭ１３は、ＣＰＵ１１にワーキングメモリとして使用されるランダムアクセスメモリである。ＣＰＵ１１は、ＲＡＭ１３にプログラムやデータなどを書き込んだり消去したりすることができる。本実施の形態では、ＲＡＭ１３には、ＣＰＵ１１がクラスタを生成したりなど、演算処理に必要なエリアが確保可能となっている。
【００１５】
入力装置１４は、例えばキーボードやマウスなどの入力装置から構成されている。入力装置１４は、調剤報酬明細書作成装置１に対して文字や数字などの各種データを入力するための装置であり、ユーザが検索文字列を入力したりなど、調剤報酬明細書作成装置１に対して所定の入力操作を行う際に使用する。
キーボードは、カナや英文字などを入力するためのキーや数字を入力するためのテンキー、各種機能キー、カーソルキーおよびその他のキーによって構成されている。
マウスは、ポインティングデバイスである。ＧＵＩ（Ｇｒａｐｈｉｃａｌ  Ｕｓｅｒ  Ｉｎｔｅｒｆａｃｅ）などを用いて調剤報酬明細書作成装置１を操作する場合、表示装置上に表示されたボタンやアイコンなどをマウスでクリックすることにより、所定の情報の入力を行うことができる。
また、入力装置１４として、手書き文字認識機能を有する装置を用いるようにしてもよい。これは、タブレットなどに特殊なペン（スタイラスペンなど）で書いた文字を認識し、入力する機能を備えた装置である。
【００１６】
ディスプレイ１５は、例えば例えばＣＲＴ（Ｃａｔｈｏｄｅ  Ｒａｙ  Ｔｕｂｅ）ディスプレイ、液晶ディスプレイ、プラズマディスプレイなどで構成された情報を画面上に提示するための装置である。ディスプレイ１５は、ユーザが調剤報酬明細書を作成するために入力する文字列を入力する欄や、所定の選択肢を表示したりする。
プリンタ１６は、調剤報酬明細書作成装置１での処理結果を印刷出力する出力装置であり、例えば、インクジェットプリンタ、レーザプリンタ、熱転写プリンタ、ドットプリンタなどの各種プリンタ装置によって構成されている。
サーバ２０は、例えば、薬剤データベース（ＤＢ）２１、生薬データベース２２、患者データベース２３など、調剤報酬明細書を作成する際に必要となる情報を有する各種データベースを備えている。なお、サーバ２０は、バスラインを介してＣＰＵ１１等と接続されているが、ＣＰＵ１１からのアクセスが可能であれば、例えば、ＬＡＮ（ローカル・エリア・ネットワーク）やインターネット等のネットワーク上に配置するようにしてもよい。
【００１７】
図２は、薬剤データベース２１に格納されているデータを示した図である。
図２に示すように、薬剤データベース２１には、「コード番号」、「薬品名」、「略号」、「一日量」、「単位」、「用法Ｉ・ＩＩ」、「日数」、「剤算定」等のデータが、薬品毎に紐付けされている。
ここで、薬品毎に紐付けされている要素のうちの「略号」について説明する。
略号は、薬品名に基づいて生成された記号であり、アルファベット３文字の文字列によって構成されている。この略号は、薬品名の先頭の３文字をローマ字表記した場合に、各文字の先頭に記載されるアルファベットを抽出し順に並べたものである。なお、先頭の３文字とは、頭文字とこの頭文字に続く２文字を示している。
この略号は、薬剤データベース２１へ薬品名を登録する際に同時に登録されるようになっている。なお、略号は、薬品名の先頭３文字の情報が確定した時点で定義（設定）することができる。
【００１８】
また、略号を形成する際に次のような規則を予め定めておくようにする。
（１）促音「ッ」は無視する。
例えば、「タップラック」という名称の薬品名である場合には、促音を無視し、「タプラク」と表記された場合におけるローマ字表記に基づいて略号を構成する。
（２）長音記号「−」は無視する。
例えば、「ルーゴルクリーム」という名称の薬品名である場合には、長音記号を無視し、「ルゴルクリム」と表記された場合におけるローマ字表記に基づいて略号を構成する。
（３）拗音「ャ」「ュ」「ョ」はその前の文字と組合せて１文字とする。
例えば、「キャ」という語句が名称に含まれる薬品名である場合には、「キャ」を１文字として認識し、「ｋｙａ」と表記する。「キャ」を「キ」と「ャ」のように別々の文字として認識しない。
（４）ローマ字表記で用いられない「ｌ，ｑ，ｖ，ｘ」は用いない。
【００１９】
ここで、具体的に「イサジンゴーグル」、「ゼポトラス」「モールステープ」の略号の構成例について説明する。
「イサジンゴーグル」では、「イサジンゴーグル」の先頭の３文字、つまり「イサジ」をローマ字表記すると、「ｉ  ｓａ  ｚｉ」となる。そして、「ｉ」、「ｓａ」、「ｚｉ」の各文字の先頭に記載されるアルファベット、つまり、「ｉ」、「ｓ」、「ｚ」を抽出し順に並べることによって「ｉｓｚ」という文字列が形成される。そして、このアルファベットの文字列「ｉｓｚ」を「イサジンゴーグル」の略号として定義する。
【００２０】
同様に、「ゼポトラス」では、「ゼポトラス」の先頭の３文字、つまり「ゼポト」をローマ字表記すると、「ｚｅ  ｐｏ  ｔｏ」となる。そして、「ｚｅ」、「ｐｏ」、「ｔｏ」の各文字の先頭に記載されるアルファベット、つまり、「ｚ」、「ｐ」、「ｔ」を抽出し順に並べることによって「ｚｐｔ」という文字列が形成される。そして、このアルファベットの文字列「ｚｐｔ」を「ゼポトラス」の略号として定義する。
「モールステープ」では、長音記号を無視し、「モルステプ」の先頭の３文字、つまり「モルス」をローマ字表記すると、「ｍｏ  ｒｕ  ｓｕ」となる。そして、「ｍｏ」、「ｒｕ」、「ｓｕ」の各文字の先頭に記載されるアルファベット、つまり、「ｍ」、「ｒ」、「ｓ」を抽出し順に並べることによって「ｍｒｓ」という文字列が形成される。そして、このアルファベットの文字列「ｍｒｓ」を「モールステープ」の略号として定義する。
【００２１】
この略号は、薬品名を絞り込む際のファクタ（要素）として機能する。薬剤データベース２１には、通常、約２万アイテム（薬品名）を超える薬品のデータが格納されている。そしてこれらのアイテム全てに略号が定義されており、これらの略号は、調剤報酬明細書の作成時において、ユーザが所定の欄に薬品名を入力する際に利用される。詳しくは、薬品名を入力する際に、その薬品名をその名称の表記方法に基づいて絞り込み検索する際に利用される。
【００２２】
次に、このように構成された調剤報酬明細書作成装置１における調剤報酬明細書の作成処理方法について説明する。
図３は、本実施の形態に係る調剤報酬明細書作成装置１における調剤報酬明細書への入力処理の手順を示したフローチャートである。
はじめに、ユーザが調剤報酬明細書作成装置１を起動すると、ＣＰＵ１１は、ＲＯＭ１２に格納されている処方箋入力プログラムを読み出し起動する（ステップ１１）。
【００２３】
図４は、略号を用いて薬品名を入力する際の表示画面の様子を示した図である。
処方箋入力プログラムが起動されると、図４に示すような、処方箋入力画面がディスプレイ１５に表示される。
ここでは、ユーザが略号を用いた入力方法（以下、略号入力とする）によって調剤報酬明細書中の該当欄に薬品名を入力する方法について説明する。なお、薬品名の一例として「ブロピレス錠４」という薬品名の入力方法について説明する。
ユーザは、「ブロピレス錠４」の先頭の３文字を認識して当該薬品名の略号「ｂｒｐ」を判断（導出）する。そして、図４のａの領域にカーソルを合わせた後、この略号「ｂｒｐ」をキーボード等の入力装置１４を介して入力する（ステップ１２）。
【００２４】
入力装置１４から該当欄への略号の入力がなされると、ＣＰＵ１１は、入力された内容つまり略号情報「ｂｒｐ」を認識する。
そして、ＣＰＵ１１は、サーバ２０にアクセスし、この略号「ｂｒｐ」と一致する薬品名の検索（検出）を実行する（ステップ１３）。検出された薬品名のデータを、一旦ＲＡＭ１３に格納する。
次に、ＣＰＵ１１は、ＲＡＭ１３に格納されている略号「ｂｒｐ」と一致する薬品名のデータを読み出し、ディスプレイ１５上の図４に示すｂ領域に、候補薬品名として一覧表示する（ステップ１４）。なお、この一覧表示は、プルダウンメニューであり、マウス等の入力装置１４を操作することによって候補薬品名の中から１つを選択することができるようになっている。また、選択中の薬品名は、図４に示すように、非選択の候補薬品名に対して反転するように表示される。
【００２５】
なお、略号に基づいて薬品名を絞り込み検索を行う際の検索効率、つまりステップ１３の処理におけるヒット率を向上させるために、データベースの検索時にあいまい検索機能を用いるようにしてもよい。
このあいまい検索機能とは、指定した条件が完全に一致しない場合でも、一致したものと見なして検出する検索方法であり、例えば、英字の大文字と小文字を区別しない、半角と全角を区別しない、スペースやハイフンが挿入されていても無視するなどといった方法を用いて検索を実行するものである。
特に、本実施の形態においては、ユーザの判断（導出）した略号をキーワードとして検索処理を実行している。そのため、適切な略号が入力されなかった場合、つまりユーザが誤入力した場合や、略号の導出過程においてミスをした場合、つまりユーザによって正しい略号が判断（導出）されなかった場合には、適切な候補薬品名が表示されない場合ある。
【００２６】
そこで、ローマ字を扱う際に生じやすい誤りを予め考慮し、略号と一致する薬品名を検索する際に、例えば、次に示すような検索機能を用いるようにしてもよい。
（ａ）入力された略号に「ｌ（エル）」が含まれている場合には、入力された略号に基づく検索処理と、入力された略号の「ｌ（エル）」の部分を「ｒ」に置換した略号に基づく検索処理と、を併せて実行し、双方の検索（検出）結果を候補薬品名として一覧表示する。
（ｂ）入力された略号に「ｊ」が含むまれている場合には、入力された略号に基づく検索処理と、入力された略号の「ｊ」の部分を「ｚ」に置換した略号に基づく検索処理と、を併せて実行し、双方の検索（検出）結果を候補薬品名として一覧表示する。
（ｃ）入力された略号に「ｖ」が含まれている場合には、入力された略号に基づく検索処理と、入力された略号の「ｖ」の部分を「ｂ」に置換した略号に基づく検索処理と、を併せて実行し、双方の検索（検出）結果を候補薬品名として一覧表示する。
なお、上記（ａ）〜（ｃ）に示す検索機能は、あいまい検索機能の一例であり、入力処理の簡便性を考慮して任意に変更または設定することができるようになっている。
【００２７】
候補薬品名の一覧表示から、ユーザによって１つの薬品名が選択されると、ＣＰＵ１１は、その選択を受け付ける（ステップ１５）。ここでは、「ブロピレス錠４」が選択される。
候補薬品名の一覧表示から薬品名が選択されると、ＣＰＵ１１は、選択された「ブロピレス錠４」に定義されている、「コード番号」、「薬品名」、「略号」、「一日量」、「単位」、「用法Ｉ・ＩＩ」、「日数」、「剤算定」等のデータを薬剤データベース２１から読み出す（ステップ１６）。これらの「ブロピレス錠４」に定義されているデータ、つまり薬品毎に紐付けされているデータは、デフォルト値（初期設定値）として利用される。
【００２８】
図５は、候補薬品名から薬品名を選択した場合の表示画面の様子を示した図である。
次に、ＣＰＵ１１は、読み出した「ブロピレス錠４」に定義されているデータを、該当する場所（位置）に配置し、図５に示すように、「ブロピレス錠４」に関する情報をディスプレイ１５上に表示する（ステップ１７）。
このように、候補薬品名から薬品名を選択すると、つまり「ブロピレス錠４」を選択すると、「ブロピレス錠４」に定義されている（紐付けされている）情報が、該当する項目欄に初期設定値として入力されるようになっている。
なお、ここで入力される定義情報は、初期設定値であるため、必要に応じて内容を任意に変更（更新）することができるようになっている。
【００２９】
表示画面を確認した後、ユーザによって決定等の図示しないボタン（キー）が押下（選択）されると、ＣＰＵ１１は、ディスプレイ１５上表示されているデータを、調剤報酬明細書内の処方内容の欄に記載（入力）し（ステップ１８）、処理を終了する。
なお、本実施の形態に係る調剤報酬明細書作成装置１では、記載項目に関するデータの入力が終了した後、印刷コマンドを指定することによって、入力されたデータが規定のフォーマット上の該当する項目に配置された状態で印刷出力されるようになっている。この印刷出力処理はプリンタ１６で実行される。
なお、上述したＣＰＵ１１において実行される処理内容を調剤報酬明細書作成プログラムとし、この調剤報酬明細書作成プログラムは、機械読み取り可能な記憶（記録）媒体に格納することができる。記憶媒体としては、例えば、ＣＤ−ＲＯＭ、ＤＶＤ−ＲＯＭ、フレキシブルディスク、光磁気ディスク等がある。
【００３０】
本実施の形態では、略号を入力することによって調剤報酬明細書内の処方内容の欄に薬品名および関連情報を入力するようにしている。しかしながら、各情報の入力方法にこれに限られるものではなく、通常の薬品名を全て入力するようにしても、また、先頭の数文字を入力した後、サーバ２０へアクセスしてこの文字列を一致する薬品名検索し、その検索結果を候補薬品名として一覧表示するようにしてもよい。
なお、本実施の形態では、略号をアルファベット３文字で定義するようにしているが、文字数は、これに限られるものではなく、２文字、４文字等、データベースに格納されているデータ量に応じで任意に変更するようにしてもよい。
【００３１】
また、略号の入力字数を増やしていきながら徐々にに薬品名の絞り込みを行うようにしてもよい。例えば、「トムラダボクエキスカリュウ（イリョウヨウ）」という名称の薬品名を入力する場合について説明する。まず、ユーザは、「トムラダボクエキスカリュウ（イリョウヨウ）」の先頭の３文字に基づいて「ｔｍｒ」という略号を導出し、この略号を図４のａの領域に入力する。すると、略号「ｔｍｒ」と一致する薬品名の検索（検出）が実行された後、候補薬品名が一覧表示される。ここで仮に、略号「ｔｍｒ」と一致する薬品名の数が３０種類を超えてしまったとすると、候補薬品名を一覧表示する際に、全ての薬品名がディプレイ１５上に表示しきれなくなってしまう。このような場合、ユーザは、該当する薬品名を選択する際に、画面上のスクロールバーを操作しなければならなくなってしまう。
【００３２】
そこで、ユーザは、「トムラダボクエキスカリュウ（イリョウヨウ）」の先頭の４文字に基づいて「ｔｍｒｄ」という略号を導出し、この略号を図４のａの領域に入力する。つまり、略号の４番目の「ｄ」を追加入力する。すると、ＣＰＵ１１によって、さらに薬品名の絞り込み検索が実行され、略号「ｔｍｒｄ」に該当する候補薬品名が一覧表示される。
なお、このように略号の入力字数を増やしていきながら徐々にに薬品名の絞り込みを行う場合には、予め、サーバ２０に４文字以上のアルファベットから構成される略号データを格納しておく必要がある。
【００３３】
このように、本実施の形態によれば、比較的長い文字列によって構成されている薬品の名称であっても、略号つまりアルファベット３文字を入力するだけで、容易に入力する薬品名の候補を検索表示させることができる。つまり、略号をデータベースを検索する際のキーワードとすることにより、適切に薬品名の絞り込みを実行することができる。
また、本実施の形態によれば、候補薬品名から薬品名を選択すると、その選択された薬品名に紐付けされたデータ（関連データ）がサーバ２０から読み出され、読み出されたデータが該当する項目に配置されるため、ユーザが関連データを個々に入力する必要がなくなる。これにより、調剤報酬明細書を作成するユーザの負担を軽減することができるだけでなく、作成時間の短縮化を図ることができる。
【００３４】
ところで、近年のＰＣ（パーソナルコンピュータ）等の普及に伴い、キーボードから様々な情報を入力する機会が増えてきている。キーボードからデータを入力する際は、日本語の読みをカナ文字で入力する方法とローマ字で入力する方法の双方がとられている。特に、使用するキーの種類を限定することができることから、ローマ字入力の方法が広く普及してきている。従来、薬品名などの文字列を処方箋に入力するにあたってもローマ字入力が用いられる場合が多い。
【００３５】
このような使用上の便宜を考慮した上で、略号は、ローマ字表記された薬品名の先頭の３文字に基づいて定義されている。そのため、ユーザは、薬品名から絞り込み検索のキーワードとなる略号を、比較的容易に、抵抗なく（瞬時に）、判断（導出）することができるようになっている。
また、略号を３文字のアルファベットとすることによって、サーバ２０に格納されている約２万アイテムの薬品名から適度な数の候補薬品名を絞り込むことができる。即ち、略号を３文字未満のアルファベットとした場合には、候補薬品名が絞りきれず（多くなり過ぎ）、ディスプレイ１５に表示させる場合に不都合が生じるだけでなく、薬品名を選択するユーザの負担が大きくなってしまうおそれがある。
本実施の形態によれば、略号の入力つまりキーを３回押下することによって、２万種類を超える薬品名の絞り込みを効率的に実行することができるため、調剤報酬明細書の作成時における処方箋のデータ入力に費やされる時間を短縮することができる。
【００３６】
次に、調剤報酬明細書作成装置１で作成された剤報酬明細書の出力方法について説明する。ここでは、多種の薬品（生薬）を調合した漢方薬を投与した場合に作成する調剤報酬明細書を例にとり説明する。
図６は、本実施の形態に係る調剤報酬明細書作成装置１で作成された調剤報酬明細書の出力例を示した図である。
図６に示すように、本実施の形態に係る調剤報酬明細書作成装置１では、調剤報酬明細書をプリンタ１６から印刷出力する場合に、調剤報酬明細書の処方薬の詳細を記載する項目の１行分の領域に、複数の薬品名とその投与量が表示されるように、データのレイアウト（配置）がされるようになっている。
【００３７】
従来は、印刷出力した場合に、１行に１種類の薬品とその投与量が記載されるようになっていた。そのため、４種類の薬品を投与した場合には、それぞれの薬品について記載するために４行分の記載領域が必要であった。
しかしながら、本実施の形態によれば、図６に示すように、４つの薬品名とその投与量を１行分の領域に記載することができる。
従って、数十種類の生薬を調合する漢方薬などを投与した場合であっても、複数の用紙を貼り合わせることなく調剤報酬明細書を作成することができる。これにより、調剤報酬明細書を作成するユーザの負担を軽減することができる。
【図面の簡単な説明】
【００３８】
【図１】本実施の形態に係る調剤報酬明細書作成装置の概略構成を示した図である。
【図２】薬剤データベースに格納されているデータを示した図である。
【図３】本実施の形態に係る調剤報酬明細書作成装置における調剤報酬明細書への入力処理の手順を示したフローチャートである。
【図４】略号を用いて薬品名を入力する際の表示画面の様子を示した図である。
【図５】候補薬品名から薬品名を選択した場合の表示画面の様子を示した図である。
【図６】本実施の形態に係る調剤報酬明細書作成装置で作成された剤報酬明細書の出力例を示した図である。
【図７】従来の調剤報酬明細書の一例を示した図である。
【符号の説明】
【００３９】
１    調剤報酬明細書作成装置
１１  ＣＰＵ
１２  ＲＯＭ
１３  ＲＡＭ
１４  入力装置
１５  ディスプレイ
１６  プリンタ
２０  サーバ
２１  薬剤データベース
２２  生薬データベース
２３  患者データベース
【図１】
2005107649.tif 000003
【図２】
2005107649.tif 000004
【図３】
2005107649.tif 000005
【図４】
2005107649.tif 000006
【図５】
2005107649.tif 000007
【図６】
2005107649.tif 000008
【図７】
2005107649.tif 000009